(57)【要約】【課題】複数の画像信号入力端子を備え、使用するよう設定した全ての画像入力端子に画像信号が入力されている場合にのみ画像を表示する    画像表示装置を提供する。【解決手段】画像信号検出手段により、使用端子設定手段２０１により設定された画像入力端子の全ての信号検出状態を取得し（ステップＳ１０４）、全ての設定された画像入力端子に画像信号が検出された場合（ステップＳ１０５：Ｙ）、画像入力選択手段により選択されている画像入力端子に入力される画像信号に基づく画像を画像投写手段に投写させる（ステップＳ１０６）。一方、いずれかの設定された画像入力端子に画像信号が検出されていない場合（ステップＳ１０５：Ｎ）、画像信号検出状態を画像投写手段により投写する（ステップＳ１０７）。【選択図】図４
2013152261.tif 000002
【特許請求の範囲】
【請求項１】
画像信号が入力される複数の画像入力端子と、
前記入力される画像信号に基づく画像を表示する画像表示手段と、
前記複数の画像入力端子の中から、使用する画像入力端子を設定する使用端子設定手段と、
前記使用端子設定手段に設定された画像入力端子各々について画像信号が入力されているか否かを検出する画像信号検出手段と、
前記使用端子設定手段に設定された画像入力端子の中からいずれか一つを選択する画像入力選択手段と、
前記画像信号検出手段により、前記使用端子設定手段に設定された全ての画像入力端子に画像信号が入力されていることを検出した場合に、前記画像入力選択手段によって選択された一の画像入力端子に入力される画像信号に基づく画像を前記画像表示手段により表示する制御手段と、
を備えたことを特徴とする、画像表示装置。
【請求項２】
請求項１に記載の画像表示装置であって、
前記画像表示手段により画像を表示している状態において、前記使用端子設定手段に設定されたいずれかの画像入力端子が画像信号未検出状態になった場合に報知する報知手段をさらに備えたことを特徴とする、画像表示装置。
【請求項３】
請求項１または２に記載の画像表示装置であって、
前記制御手段は、前記画像表示手段により画像を表示している状態において、前記使用端子設定手段に設定されたいずれかの画像入力端子が画像信号未検出状態になった場合に、所定の警告メッセージを前記画像表示手段により表示する、ことを特徴とする、画像表示装置。
【請求項４】
画像信号が入力される複数の画像入力端子と、
前記入力される画像信号に基づいた画像を表示する画像表示手段と、
前記複数の画像入力端子の中から、使用する画像入力端子を設定する使用端子設定手段と、
前記使用端子設定手段により設定された画像入力端子各々について画像信号が入力されているか否かを検出する画像信号検出手段と、
を備えた画像表示装置の制御方法であって、
前記使用端子設定手段により設定された画像入力端子の中からいずれか一つを選択する画像入力選択ステップと、
前記画像信号検出手段により、前記使用端子設定手段に設定された全ての画像入力端子に画像信号が入力されていることを検出した場合に、前記画像入力選択ステップにより選択された一の画像入力端子に入力される画像信号に基づく画像を前記画像表示手段により表示する、制御ステップと、
を有することを特徴とする、画像表示装置の制御方法。
【発明の詳細な説明】
【技術分野】
【０００１】
本発明は、画像表示装置、及び画像表示装置の制御方法に関する。
【背景技術】
【０００２】
複数の画像入力端子を備えた画像表示装置において、各画像入力端子に異なる外部機器を接続し、複数の画像入力端子を切り替えながらプレゼンテーションを行うことがある。この際、全ての画像入力端子に画像信号が入力されていることを予め確認しておかないと、画像信号が入力されていない画像入力端子に切り替えたときに画像が表示されず、プレゼンテーションを失敗する虞がある。
特許文献１には、本体に備えたタッチパネルに、複数の画像入力端子の信号入力状況を表示するプロジェクターが開示されている。
【先行技術文献】
【特許文献】
【０００３】
【特許文献１】特開２００３−３２３１６８号公報
【発明の概要】
【発明が解決しようとする課題】
【０００４】
しかしながら、特許文献１のプロジェクターのように、画像入力端子の信号入力状況を表示するためにタッチパネルを搭載することは、コストアップになってしまうという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、画像信号が入力される複数の画像入力端子と、前記入力される画像信号に基づく画像を表示する画像表示手段と、前記複数の画像入力端子の中から、使用する画像入力端子を設定する使用端子設定手段と、前記使用端子設定手段に設定された画像入力端子各々について画像信号が入力されているか否かを検出する画像信号検出手段と、前記使用端子設定手段に設定された画像入力端子の中からいずれか一つを選択する画像入力選択手段と、前記画像信号検出手段により、前記使用端子設定手段に設定された全ての画像入力端子に画像信号が入力されていることを検出した場合に、前記画像入力選択手段によって選択された一の画像入力端子に入力される画像信号に基づく画像を前記画像表示手段により表示する制御手段と、を備えたことを特徴とする。
【０００７】
本適用例によれば、予め使用するよう設定した画像入力端子の全てに画像信号が入力されている場合に、画像の投写を行うので、使用する画像入力端子のいずれかに画像信号が入力されていない状態でプレゼンテーションを開始してしまう事態を回避することが可能となる。
【０００８】
［適用例２］上記適用例に記載の画像表示装置において、前記画像表示手段により画像を表示している状態において、前記使用端子設定手段に設定されたいずれかの画像入力端子が画像信号未検出状態になった場合に報知する報知手段をさらに備えたことを特徴とする。
【０００９】
本適用例によれば、画像を投写中に予め使用するよう設定した画像入力端子のいずれかに画像信号が検出されなくなった状態を報知手段により直ちに知ることが可能となる。
【００１０】
［適用例３］上記適用例に記載の画像表示装置において、前記制御手段は、前記画像表示手段により画像を表示している状態において、前記使用端子設定手段に設定されたいずれかの画像入力端子が画像信号未検出状態になった場合に、所定の警告メッセージを前記画像表示手段により表示する、ことを特徴とする。
【００１１】
本適用例によれば、画像を投写中に予め使用するよう設定した画像入力端子のいずれかに画像信号が検出されなくなった場合、警告メッセージにより、画像信号が入力されなくなった画像入力端子を知ることが可能となる。
【００１２】
［適用例４］本適用例に係る画像表示装置の制御方法は、画像信号が入力される複数の画像入力端子と、前記入力される画像信号に基づいた画像を表示する画像表示手段と、前記複数の画像入力端子の中から、使用する画像入力端子を設定する使用端子設定手段と、前記使用端子設定手段により設定された画像入力端子各々について画像信号が入力されているか否かを検出する画像信号検出手段と、を備えた画像表示装置の制御方法であって、前記使用端子設定手段により設定された画像入力端子の中からいずれか一つを選択する画像入力選択ステップと、前記画像信号検出手段により、前記使用端子設定手段に設定された全ての画像入力端子に画像信号が入力されていることを検出した場合に、前記画像入力選択ステップにより選択された一の画像入力端子に入力される画像信号に基づく画像を前記画像表示手段により表示する、制御ステップと、を有することを特徴とする。
【００１３】
本適用例によれば、予め使用するよう設定した画像入力端子の全てに画像信号が入力されている場合に、画像の投写を行うので、使用する画像入力端子のいずれかに画像信号が入力されていない状態でプレゼンテーションを開始してしまう事態を回避することが可能となる。
【図面の簡単な説明】
【００１４】
【図１】プロジェクターの概略構成を示すブロック図。
【図２】使用端子設定手段の設定情報を示す図。
【図３】（ａ）から（ｆ）は、プロジェクターの画面遷移を示す図。
【図４】プロジェクターが起動する時の動作を示すフローチャート。
【図５】プロジェクターが入力切替操作を受け付けた時の動作を示すフローチャート。
【図６】プロジェクターが使用端子設定手段に設定された画像入力端子の画像信号検出状態を監視する定時タスクの動作を示すフローチャート。
【図７】入力操作手段の操作キーを示す概略平面図。
【図８】リモコンの操作キーを示す概略平面図。
【図９】変形例２の画像信号未検出状態の画面を示す図。
【発明を実施するための形態】
【００１５】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１６】
（第１実施形態）
図１は、本実施形態のプロジェクターの概略構成を示すブロック図である。
図１に示すように、プロジェクター１００は、画像入力端子６、画像投写手段１０、画像信号検出手段１５、ＯＳＤ処理手段１６、画像信号処理手段１７、画像入力選択手段１８、制御手段２０、記憶手段２１、光源制御手段２２、入力操作手段２３、操作信号受信手段２４、報知手段２６等で構成されており、これらは図示しない筐体の内部、または外面に収容されている。
【００１７】
画像表示手段としての画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００１８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００１９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２０】
本実施形態では、光源として光源ランプ１１ａを用いて投写するプロジェクター１００を例示したが、本発明は光源としてＬＥＤ（Light Emitting Diode）光源やレーザー光源などを用いて投写するプロジェクターにも適用することができる。
【００２１】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１００の動作を統括制御する。つまり、制御手段２０は、記憶手段２１とともにコンピューターとして機能する。制御手段２０は、複数の画像入力端子６のうち、使用する画像入力端子６を設定する使用端子設定手段２０１を含み構成される。
【００２３】
使用端子設定手段２０１は、複数の画像入力端子６のうち、いずれを使用するかを設定する。使用端子設定手段２０１の設定内容例を図２に示す。
図２に示すように、画像入力端子６１〜６５に、図示しない外部の画像供給装置であるビデオ再生装置（Ｖｉｄｅｏ１Ａ，Ｖｉｄｅｏ２Ａ）やパーソナルコンピューター（ＰＣ１，ＰＣ２，ＰＣ３）等が接続されており、このうち、ＰＣ１，ＰＣ２，Ｖｉｄｅｏ１Ａに接続されている３つの画像入力端子６１，６２，６４を使用するよう設定されている。
【００２４】
図１に戻って、記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１００の動作を制御するための制御プログラムや、プロジェクター１００の動作条件等を規定する各種設定データ等が記憶されている。
【００２５】
入力操作手段２３は、プロジェクター１００の本体筐体の外面に備えられ、ユーザーからの入力操作を受け付けるものであり、ユーザーがプロジェクター１００に対して各種指示を行うための複数の操作キーを備えている。入力操作手段２３の操作キーを図７に示す。
【００２６】
図７に示すように、入力操作手段２３が備える操作キーとしては、電源のオン・オフを交互に切り替えるための電源キー２３ａや、画像入力選択手段１８により複数の画像入力端子６のうち、いずれかの画像入力端子６に切り替えるための入力切替キー２３ｂ、各種設定を行うための設定メニューを重畳表示させるメニューキー２３ｃ、メニューからユーザーが設定項目を選択するカーソルキー２３ｄ、決定キー２３ｅ、エスケープキー２３ｆ、ヘルプキー２３ｇ等がある。
【００２７】
操作信号受信手段２４は、遠隔操作で入力操作を行うリモートコントローラー（リモコン／ＲＣ）２５からの操作信号を受信し、ユーザーの操作内容に応じた、操作内容を制御手段２０に出力する。リモコン２５の操作キーを図８に示す。
図８に示すように、リモコン２５が備える操作キーとしては、入力操作手段２３と同等な電源キー２５ａ、入力切替キー２５ｂ、メニューキー２５ｃ、カーソルキー２５ｄ、決定キー２５ｅ、エスケープキー２５ｆ、ヘルプキー２５ｇの操作キーに加え、画面ミュートキー２５ｈ、画面縦横比切替キー２５ｉ、カラーモード切替キー２５ｊ、番号入力キー２５ｋ等がある。
【００２８】
複数の画像入力端子６にはビデオ再生装置（Ｖｉｄｅｏ１Ａ，Ｖｉｄｅｏ２Ａ）やパーソナルコンピューター（ＰＣ１，ＰＣ２，ＰＣ３）等、図示しない外部の画像供給装置から、図示しないケーブルを介して画像情報が入力される。各画像入力端子６に入力された画像情報は、画像入力選択手段１８、及び画像信号検出手段１５に供給される。
【００２９】
ユーザーが、入力操作手段２３に備わる入力切替キー２３ｂを操作して所望の一の画像入力端子６を指定すると、制御手段２０は、一の画像入力端子６に入力される画像信号が画像信号処理手段１７に出力されるよう、画像入力選択手段１８に指示をする。
【００３０】
画像入力選択手段１８は、複数の画像入力端子６のうち、制御手段２０の指示に基づく一の画像入力端子６を選択し、一の画像入力端子６に入力される画像信号を画像信号処理手段１７に出力する。
【００３１】
画像信号検出手段１５は、制御手段２０の指示に基づき、使用端子設定手段２０１により設定された複数の画像入力端子６の各々について、有効な画像信号が入力されているか否かの検出結果を制御手段２０に通知する。
【００３２】
画像信号処理手段１７は、画像入力選択手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３３】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３４】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３５】
光源制御手段２２は、制御手段２０の指示に基づいて、光源１１に対する電力の供給と停止とを制御し、光源１１の点灯、及び消灯を切り替える。
【００３６】
報知手段２６は、ＬＥＤやブザー等で構成され、使用端子設定手段２０１によって設定されている画像入力端子６のうち、いずれかに画像信号が入力されていないことを報知する。
【００３７】
次に、本実施形態のプロジェクター１００の画面遷移を、図３を用いて説明する。
図３は、入力切替操作、及び画像入力端子６の画像信号入力状態が変化した場合の画面遷移を示す図である。図３の例では使用端子設定手段２０１によって設定された３つの画像入力端子６１，６２，６４（ＰＣ１，ＰＣ２，Ｖｉｄｅｏ１Ａ）が使われるものとする。
また、本実施形態では、入力切替キー２３ｂ（２５ｂ）の操作により、使用端子設定手段２０１によって設定された画像入力端子６が、予め定められた順番で切り替えられ選択されるものとする。
【００３８】
図３（ａ）は、プロジェクター１００が起動直後に画像入力端子６１が選択され、ＰＣ１から画像入力端子６１に画像信号が入力され、ＰＣ２に接続された画像入力端子６２、及びＶｉｄｅｏ１Ａに接続された画像入力端子６４には画像信号が入力されていない状態を示す。
図３（ａ）に示すように、画像入力端子６１が選択され、ＰＣ１からの画像信号が入力されているものの、使用端子設定手段２０１により設定されている画像入力端子６２、及び画像入力端子６４には画像信号が入力されていないため、選択されている画像入力端子６１に入力された画像信号に基づく画像は表示されず、代わりにＰＣ１（画像入力端子６１），ＰＣ２（画像入力端子６２），Ｖｉｄｅｏ１Ａ（画像入力端子６４）それぞれからの画像信号入力状態が画像として表示される。
【００３９】
図３（ｂ）は、図３（ａ）の状態から更に、画像入力端子６４にＶｉｄｅｏ１Ａからの画像信号が入力された状態を示す。使用端子設定手段２０１により設定されている画像入力端子６２には画像信号が入力されていないため、選択されている画像入力端子６１に入力された画像信号に基づく画像は表示されず、代わりにＰＣ１（画像入力端子６１），ＰＣ２（画像入力端子６２），Ｖｉｄｅｏ１Ａ（画像入力端子６４）それぞれからの画像信号入力状態が画像として表示される。
【００４０】
図３（ｃ）は、図３（ｂ）の状態から更に、画像入力端子６２にＰＣ２からの画像信号が入力された状態を示す。使用端子設定手段２０１により設定されている３つの画像入力端子６１，６２，６４の全てに画像信号が入力されているため、選択されている画像入力端子６１に入力された、ＰＣ１からの画像信号に基づく画像が表示される。
【００４１】
図３（ｄ）は、図３（ｃ）の状態から更に、入力切替キー２３ｂ（２５ｂ）を操作した状態を示す。入力切替キー２３ｂ（２５ｂ）により画像入力端子６の切り替え指示を受け付けると、使用端子設定手段２０１により設定された情報に基づき、画像入力端子６１の次の画像入力端子６２が選択され、ＰＣ２から入力されている画像信号に基づく画像が表示される。
【００４２】
図３（ｅ）は、図３（ｄ）の状態から更に、入力切替キー２３ｂ（２５ｂ）を操作した状態を示す。入力切替キー２３ｂ（２５ｂ）により画像入力端子６の切り替え指示を受け付けると、使用端子設定手段２０１によって設定された情報に基づき、ＰＣ２（画像入力端子６２）の次のＶｉｄｅｏ１Ａ（画像入力端子６４）が選択され、Ｖｉｄｅｏ１Ａから画像入力端子６４に入力されている画像信号に基づく画像が表示される。
【００４３】
図３（ｆ）は、図３（ｅ）の状態から画像入力端子６２にＰＣ２からの画像信号が入力されなくなった状態を示す。Ｖｉｄｅｏ１Ａからの画像を表示中に、使用端子設定手段２０１により設定されている画像入力端子６２にＰＣ２からの画像信号が入力されなくなったため、選択されている画像入力端子６４に入力された画像信号に基づく画像の表示を中止し、ＰＣ２から画像入力端子６２に入力される画像信号が未検出状態になったことを示すメッセージと、ＰＣ１（画像入力端子６１），ＰＣ２（画像入力端子６２），Ｖｉｄｅｏ１Ａ（画像入力端子６４）それぞれからの画像信号入力状態が画像として表示される。
図３（ｆ）の状態において、ＰＣ２から画像入力端子６２に再び画像信号が入力された場合は、図３（ｅ）に遷移する。
【００４４】
次に、本実施形態のプロジェクター１００の動作を図４〜６のフローチャートを用いて説明する。図４はプロジェクター１００が起動する時の動作、図５はプロジェクター１００が入力切替操作を受け付けた時の動作、図６はプロジェクター１００が使用端子設定手段２０１により設定された画像入力端子６に入力される画像信号の検出状態を監視する定時タスクの動作をそれぞれ示すフローチャートである。なお図４〜６中において、「画像入力端子６」を「入力端子」、「設定された画像入力端子６」を「使用入力端子」とも称する。
【００４５】
（プロジェクターが起動するとき）
図４に示すように、プロジェクター１００が入力操作手段２３の電源キー２３ａ（２５ａ）の操作などにより電源オンすると（ステップＳ１０１）、制御手段２０は、使用端子設定手段２０１により設定された情報を取得し（ステップＳ１０２）、ステップＳ１０３に遷移する。なお、使用端子設定手段２０１は図示しないメニュー操作等により、あらかじめ図２のように設定されているものとする。
【００４６】
ステップＳ１０３において制御手段２０は、画像入力選択手段１８に指示し、ステップＳ１０２において取得した設定情報に基づく最初の画像入力端子６（図中は「入力端子」と称する）に切り替え、ステップＳ１０４に遷移する。ステップＳ１０３、及び後述するステップＳ２０２が画像入力選択ステップに相当する。
【００４７】
ステップＳ１０４において制御手段２０は、画像信号検出手段１５に指示し、使用端子設定手段２０１により設定された画像入力端子６の各々の画像信号検出状態を取得し、ステップＳ１０５に遷移する。
【００４８】
ステップＳ１０５において制御手段２０は、ステップＳ１０４において取得した画像信号検出状態に基づき、使用端子設定手段２０１により設定された画像入力端子６の全てに画像信号が検出されたか否かを調べる。全ての設定された画像入力端子６に画像信号が検出された場合（ステップＳ１０５：Ｙ）、ステップＳ１０６に遷移する。全ての設定された画像入力端子６に画像信号が検出されているのではない、即ち使用端子設定手段２０１により設定された画像入力端子６のうち、いずれかの画像入力端子６に画像信号が検出されなかった場合（ステップＳ１０５：Ｎ）、ステップＳ１０７に遷移する。
【００４９】
ステップＳ１０６において制御手段２０は、画像入力選択手段１８により選択されている画像入力端子６（選択入力端子）に入力される画像信号に基づく画像を画像投写手段１０により投写し、ステップＳ１０８に遷移する。ステップＳ１０６、及び後述するステップＳ２０５、ステップＳ３０４が制御ステップに相当する。
【００５０】
ステップＳ１０７において制御手段２０は、ステップＳ１０４において取得した画像信号検出状態を画像投写手段１０により投写し（図３（ａ）参照）、ステップＳ１０８に遷移する。
【００５１】
ステップＳ１０８において本動作フローを終了する。
【００５２】
（プロジェクターが入力切替操作を受け付けたとき）
図５に示すように、プロジェクター１００が動作中に入力操作手段２３の入力切替キー２３ｂ（２５ｂ）による入力切替操作を受け付けると（ステップＳ２０１）、制御手段２０は、使用端子設定手段２０１により設定された情報に基づく次の画像入力端子６に切り替え（ステップＳ２０２）、ステップＳ２０３に遷移する。
【００５３】
ステップＳ２０３において制御手段２０は、画像信号検出手段１５に指示し、使用端子設定手段２０１により設定された画像入力端子６の各々の画像信号検出状態を取得し、ステップＳ２０４に遷移する。
【００５４】
ステップＳ２０４において制御手段２０は、ステップＳ２０３において取得した画像信号検出状態に基づき、使用端子設定手段２０１により設定された画像入力端子６の全てに画像信号が検出されたか否かを調べる。全ての設定された画像入力端子６に画像信号が検出された場合（ステップＳ２０４：Ｙ）、ステップＳ２０５に遷移する。全ての設定された画像入力端子６に画像信号が検出されているのではない、即ち使用端子設定手段２０１により設定された画像入力端子６のうち、いずれかの画像入力端子６に画像信号が検出されなかった場合（ステップＳ２０４：Ｎ）、ステップＳ２０６に遷移する。
【００５５】
ステップＳ２０５において制御手段２０は、画像入力選択手段１８により選択されている画像入力端子６（選択入力端子）に入力される画像信号に基づく画像を画像投写手段１０により投写し、ステップＳ２０７に遷移する。
【００５６】
ステップＳ２０６において制御手段２０は、ステップＳ２０３において取得した画像信号検出状態を画像投写手段１０により投写し（図３（ａ）参照）、ステップＳ２０７に遷移する。
【００５７】
ステップＳ２０７において本動作フローを終了する。
【００５８】
（画像信号の検出状態を監視する定時タスク）
図６に示すように、プロジェクター１００が、使用端子設定手段２０１により設定された画像入力端子６に入力される画像信号の検出状態を監視する定時タスクを実行開始すると（ステップＳ３０１）、制御手段２０は、画像信号検出手段１５に指示し、使用端子設定手段２０１により設定された画像入力端子６の各々の画像信号検出状態を取得し（ステップＳ３０２）、ステップＳ３０３に遷移する。
【００５９】
ステップＳ３０３において制御手段２０は、ステップＳ３０２において取得した画像信号検出状態に基づき、使用端子設定手段２０１により設定された画像入力端子６の全てに画像信号が検出されたか否かを調べる。全ての設定された画像入力端子６に画像信号が検出された場合（ステップＳ３０３：Ｙ）、ステップＳ３０４に遷移する。全ての設定された画像入力端子６に画像信号が検出されているのではない、即ち使用端子設定手段２０１により設定された画像入力端子６のうち、いずれかの画像入力端子６に画像信号が検出されなかった場合（ステップＳ３０３：Ｎ）、ステップＳ３０５に遷移する。
【００６０】
ステップＳ３０４において制御手段２０は、画像入力選択手段１８により選択されている画像入力端子６（選択入力端子）に入力される画像信号に基づく画像を画像投写手段１０により投写し、ステップＳ３０７に遷移する。
【００６１】
ステップＳ３０５において制御手段２０は、報知手段２６により、使用端子設定手段２０１により設定された画像入力端子６のうち、いずれかが画像信号未検出状態になったことを報知し、ステップＳ３０６に遷移する。
【００６２】
ステップＳ３０６において制御手段２０は、ステップＳ３０２において取得した画像信号検出状態に基づき、使用端子設定手段２０１に設定された画像入力端子６のうち画像信号未検出状態になった画像入力端子６と状態を示す警告メッセージと、設定された画像入力端子６それぞれの画像信号検出状態を示す画像（図３（ｆ）参照）を画像投写手段１０により投写し、ステップＳ３０７に遷移する。
【００６３】
ステップＳ３０７において本動作フローを終了する。
【００６４】
以上説明したように、本実施形態のプロジェクター１００によれば、使用端子設定手段２０１により設定した画像入力端子６の全てに画像信号が入力されている場合に、画像投写手段１０により画像の投写を行うので、使用する画像入力端子６のいずれかに画像信号が入力されていない状態でプレゼンテーションを開始してしまう事態を回避することが可能となる。
【００６５】
また、画像を投写中に使用端子設定手段２０１により設定した画像入力端子６のいずれかに画像信号が検出されなくなった場合に、報知手段２６により報知するので、いずれかの画像入力端子６に画像信号が入力されなくなった状態を報知手段２６により直ちに知ることが可能となる。
【００６６】
また、画像を投写中に使用端子設定手段２０１により設定した画像入力端子６のいずれかに画像信号が検出されなくなった場合に、警告画像により、画像信号が入力されなくなった画像入力端子６を直ちに知ることが可能となる。
【００６７】
また、上記実施形態は、以下のように変更してもよい。
（変形例１）
上記実施形態において、使用端子設定手段２０１により設定されたいずれかの画像入力端子６に画像信号検出されず画像が投写されない状態において、所定の操作により、画像信号が入力されている画像入力端子６の画像を投写し、入力切替するようにしてもよい。
これにより、複数の画像入力端子６に接続する外部機器のいずれかがまだ準備できていないような場合、準備ができている外部機器が接続されている画像入力端子６のみを使用してプレゼンテーションを開始することができるようになる。
【００６８】
（変形例２）
上記実施形態において、使用端子設定手段２０１により設定されたいずれかの画像入力端子６に画像信号検出されず画像が投写されない状態において、画像信号が検出されない画像入力端子６のみ画像として表示するようにしてもよい。これにより、ユーザーは画像信号が入力されない画像入力端子６がどれなのかすぐに知ることができる。
本変形例の画面表示例を図９に示す。図９はＰＣ１から入力される画像入力端子６１が選択された状態において、Ｖｉｄｅｏ１Ａから画像入力端子６４への入力が無信号であるときの表示画像を示す。
【符号の説明】
【００６９】
１００…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…画像信号検出手段、１６…ＯＳＤ処理手段、１７…画像信号処理手段、１８…画像入力選択手段、２０…制御手段、２０１…使用端子設定手段、２１…記憶手段、２２…光源制御手段、２３…入力操作手段、２４…操作信号受信手段、２５…リモートコントローラー（リモコン／ＲＣ）、２６…報知手段。
【図１】
2013152261.tif 000003
【図２】
2013152261.tif 000004
【図３】
2013152261.tif 000005
【図４】
2013152261.tif 000006
【図５】
2013152261.tif 000007
【図６】
2013152261.tif 000008
【図７】
2013152261.tif 000009
【図８】
2013152261.tif 000010
【図９】
2013152261.tif 000011